(57)【要約】【課題】水を使用する機器の給水路に設けられる給水弁装置であって、直列に接続された上流側の第１電磁弁と下流側の第２電磁弁とを備え、これら両電磁弁はパイロット式電磁弁で構成されるものにおいて、止水不良の発生を可及的に防止できるようにする。【解決手段】止水時に第１電磁弁と第２電磁弁との一方の電磁弁を閉弁させてから他方の電磁弁を閉弁させる１回目の止水制御を実行し(ＳＴＥＰ２，３)、止水不良を生じたときは、前記一方の電磁弁を開弁させた状態で前記他方の電磁弁を一旦開弁させてから閉弁させることを少なくとも１回行う２回目の止水制御を実行する(ＳＴＥＰ９〜１１)。また、２回目の止水制御後も止水不良が解消されないときは、前記他方の電磁弁を開弁させた状態で前記一方の電磁弁を一旦開弁させてから閉弁させることを少なくとも１回行う３回目の止水制御を実行する(ＳＴＥＰ１５〜１７)。【選択図】図３
2010187779.tif 000002
【特許請求の範囲】
【請求項１】
水を使用する機器の給水路に設けられる給水弁装置であって、直列に接続された上流側の第１電磁弁と下流側の第２電磁弁とを備えると共に、これら第１と第２の両電磁弁を制御する制御手段を備え、第１と第２の両電磁弁は、弁座に開設した主弁孔を開閉するダイヤフラムから成る主弁と、主弁の背面側に画成され、弁座の周囲に形成した流入室にオリフィス孔を介して連通する背圧室と、背圧室と主弁孔とを連通するパイロット弁孔を開閉するパイロット弁と、パイロット弁を開閉駆動するソレノイドとを備えるパイロット式電磁弁で構成されるものにおいて、
制御手段は、止水時に第１電磁弁と第２電磁弁との一方の電磁弁のパイロット弁を閉弁させてから他方の電磁弁のパイロット弁を閉弁させる１回目の止水制御を実行し、止水不良を生じたときは、前記一方の電磁弁のパイロット弁を開弁させた状態で前記他方の電磁弁のパイロット弁を一旦開弁させてから閉弁させることを少なくとも１回行う２回目の止水制御を実行するように構成されることを特徴とする給水弁装置。
【請求項２】
前記制御手段は、前記２回目の止水制御後も止水不良が解消されないときは、前記他方の電磁弁のパイロット弁を開弁させた状態で前記一方の電磁弁のパイロット弁を一旦開弁させてから閉弁させることを少なくとも１回行う３回目の止水制御を実行するように構成されることを特徴とする請求項１記載の給水弁装置。
【発明の詳細な説明】
【技術分野】
【０００１】
本発明は、食器洗浄機といった水を使用する機器の給水路に設けられる給水弁装置に関する。
【背景技術】
【０００２】
食器洗浄機は、洗浄槽に給水路を介して水を供給するように構成されており、この給水路に電磁弁から成る給水弁を介設している。ここで、給水弁が故障や異物の噛み込み等で止水不良を生ずると、洗浄槽への給水が継続して、洗浄槽から水が溢れ出る漏水事故を生ずることがある。
【０００３】
そのため、従来、給水路に設けられる給水弁装置として、直列に接続された上流側の第１電磁弁と下流側の第２電磁弁とを備えるものが知られている(例えば、特許文献１参照)。これによれば、第１と第２の両電磁弁の一方の電磁弁の故障を生じても、他方の電磁弁で給水を停止でき、漏水事故が発生する可能性を低減できる。
【０００４】
ここで、特許文献１には、第１と第２の両電磁弁をパイロット式電磁弁で構成したものが開示されている。パイロット式電磁弁は、弁座に開設した主弁孔を開閉するダイヤフラムから成る主弁と、主弁の背面側に画成され、弁座の周囲に形成した流入室にオリフィス孔を介して連通する背圧室と、背圧室と主弁孔とを連通するパイロット弁孔を開閉するパイロット弁と、パイロット弁を開閉駆動するソレノイドとを備える電磁弁である。パイロット弁を閉弁させると、流入室からオリフィス孔を介して背圧室に流入する水が背圧室に封じ込められ、背圧室の水圧は流入室の水圧に等しくなる。そして、主弁の背面に作用する背圧室の水圧による押圧力が主弁の前面に作用する水圧による押圧力を上回って主弁が閉弁される。尚、主弁の前面に作用する押圧力は、流入室の水圧による押圧力と主弁孔の水圧による押圧力との合力になるが、主弁孔の水圧は流入室の水圧より低いため、主弁の背面に作用する押圧力が主弁の前面に作用する押圧力を上回る。パイロット弁を開弁させると、背圧室内の水がパイロット弁孔を介して流出し、主弁の背面に作用する押圧力が主弁の前面に作用する押圧力を下回って主弁が開弁され、流入室から主弁孔に水が流れる。パイロット式電磁弁は、小型のパイロット弁の開弁で主弁を開弁させて大流量の水を流すことができる。そのため、ソレノイドを小型化して消費電力を少なくできる利点がある。
【０００５】
ところで、第１と第２の両電磁弁を上記の如くパイロット式電磁弁で構成する場合は、第１電磁弁と第２電磁弁との一方の電磁弁のパイロット弁の閉弁でその主弁が閉弁されると、その後に他方の電磁弁のパイロット弁を閉弁させても、他方の電磁弁の主弁の背面に作用する押圧力と主弁の前面に作用する押圧力とに差圧が発生せず、他方の電磁弁の主弁を完全に閉止することはできなくなる。そして、先行して閉弁させる一方の電磁弁が異物の噛み込みで微少漏れを生じた場合も、他方の電磁弁は、差圧が殆ど発生しないため完全に閉止せず、止水不良を生ずる。
【先行技術文献】
【特許文献】
【０００６】
【特許文献１】特開２００７−３２１９３７号公報(段落番号００１６、図２)
【発明の概要】
【発明が解決しようとする課題】
【０００７】
本発明は、以上の点に鑑み、第１と第２の両電磁弁をパイロット式電磁弁で構成するものにおける止水不良の発生を可及的に防止できるようにした給水弁装置を提供することをその課題としている。
【課題を解決するための手段】
【０００８】
上記課題を解決するために、本発明は、水を使用する機器の給水路に設けられる給水弁装置であって、直列に接続された上流側の第１電磁弁と下流側の第２電磁弁とを備えると共に、これら第１と第２の両電磁弁を制御する制御手段を備え、第１と第２の両電磁弁は、弁座に開設した主弁孔を開閉するダイヤフラムから成る主弁と、主弁の背面側に画成され、弁座の周囲に形成した流入室にオリフィス孔を介して連通する背圧室と、背圧室と主弁孔とを連通するパイロット弁孔を開閉するパイロット弁と、パイロット弁を開閉駆動するソレノイドとを備えるパイロット式電磁弁で構成されるものにおいて、制御手段は、止水時に第１電磁弁と第２電磁弁との一方の電磁弁のパイロット弁を閉弁させてから他方の電磁弁のパイロット弁を閉弁させる１回目の止水制御を実行し、止水不良を生じたときは、前記一方の電磁弁のパイロット弁を開弁させた状態で前記他方の電磁弁のパイロット弁を一旦開弁させてから閉弁させることを少なくとも１回行う２回目の止水制御を実行するように構成されることを特徴とする。
【０００９】
本発明によれば、１回目の止水制御で先行して閉弁させる一方の電磁弁が異物の噛み込みで微少漏れを生じ、他方の電磁弁が完全に閉止されずに止水不良を生じたときは、２回目の止水制御により一方の電磁弁のパイロット弁の開弁でその主弁を開弁させた状態において他方の電磁弁のパイロットを閉弁させるため、他方の電磁弁の主弁の背面に作用する押圧力が主弁の前面に作用する押圧力を上回り、他方の電磁弁での異物の噛み込みを生じない限り、他方の電磁弁の主弁が確実に閉止されて、止水不良が解消される。また、２回目の止水制御では、一方の電磁弁のパイロット弁の開弁でその主弁を開弁させると共に他方の電磁弁のパイロット弁の開弁でその主弁を一旦開弁させるため、一方の電磁弁に水が流れ、一方の電磁弁に噛み込んだ異物が洗い流される可能性が高くなる。
【００１０】
ところで、前記他方の電磁弁での異物の噛み込みを生ずると、２回目の止水制御を行っても止水不良は解消されない。従って、２回目の止水制御後も止水不良が解消されないときは、前記他方の電磁弁のパイロット弁を開弁させた状態で前記一方の電磁弁のパイロット弁を一旦開弁させてから閉弁させることを少なくとも１回行う３回目の止水制御を行うことが望ましい。ここで、一方の電磁弁に噛み込んだ異物が上記の如く２回目の止水制御で洗い流される可能性が高くなるため、３回目の止水制御でこの一方の電磁弁を先行して閉弁することにより、止水不良が解消される可能性も高くなる。
【図面の簡単な説明】
【００１１】
【図１】本発明の実施形態の給水弁装置を具備する食器洗浄機の構造を示す説明図。
【図２】実施形態の給水弁装置の断面図。
【図３】実施形態の給水弁装置の止水時における制御内容を示すフロー図。
【発明を実施するための形態】
【００１２】
図１は食器洗浄機を示している。この食器洗浄機は、外装ケース１と、外装ケース１内の洗浄槽２とを備えており、この洗浄槽２内に給水路３を介して水が供給される。洗浄槽２には、食器類Ｗを載置する食器カゴ２ａと、食器カゴ２ａに向けて洗浄水を噴射する洗浄ノズル４と、ヒータ５とが設けられている。
【００１３】
また、洗浄槽１の下側には、洗浄槽２の底部に残菜フィルタ２ｂを介して接続される洗浄・排水ポンプ６が設けられ、更に、洗浄槽１内の水位が所定水位になったときにオンする水位スイッチ７が設けられている。ここで、洗浄・排水ポンプ６を正転させると、洗浄水が洗浄ノズル４を介して洗浄槽２内に循環され、洗浄・排水ポンプ６を逆転させると、洗浄槽２内の洗浄水が排水路８を介して排水される。排水路８には、逆流防止のための逆Ｕ字状の立上り部８ａと、エア抜き部８ｂと、排水トラップ部８ｃと、逆止弁８ｄとが設けられている。また、外装ケース１内には、洗浄槽２内に乾燥用の空気を送風する乾燥ファン９が設けられている。
【００１４】
食器洗浄機の運転スイッチをオンすると、先ず、洗浄槽２に水位スイッチ７がオンするまで給水され、この水に図外の洗剤供給手段から洗剤が混入されて洗浄水が生成される。そして、給水停止後、ヒータ５に通電すると共に洗浄・排水ポンプ６を正転させて、洗浄水を加熱しつつ洗浄ノズル４から噴射させ、所定時間の洗浄運転を行う。洗浄運転完了後は、洗浄・排水ポンプ６を逆転させて洗浄槽２内の洗浄水を排水し、次に、洗浄槽２に水位スイッチ７がオンするまで給水した後、洗浄・排水ポンプ６を正転させて洗浄ノズル４から水を噴射させ、所定時間のすすぎ運転を行う。すすぎ運転完了後は、洗浄・排水ポンプ６を逆転させて洗浄槽２内の水を排水し、次に、ヒータ５に通電すると共に乾燥ファン９を駆動させて、所定時間の乾燥運転を行う。
【００１５】
ここで、給水路３には、洗浄運転前及びすすぎ運転前の洗浄槽２への給水を制御する給水弁装置１０が設けられている。以下、図２を参照して、給水弁装置１０について詳述する。
【００１６】
給水弁装置１０は、給水路３の上流側部分３ａに連なる流入口１１１と、給水路３の下流側部分３ｂに連なる流出口１１２とを有するバルブハウジング１１を備えている。そして、バルブハウジング１１に、上流側の第１電磁弁１２１と下流側の第２電磁弁１２２とが配置され、第１と第２の両電磁弁１２１，１２２がバルブハウジング１１内の連通路１１３を介して直列に接続されている。
【００１７】
各電磁弁１２１，１２２は、バルブハウジング１１に一体成形した弁座１２１と、弁座１２１に対向し、弁座１２１に開設した主弁孔１２２ａを開閉するダイヤフラムから成る主弁１２２と、弁座１２１の周囲に主弁１２２に対向するように形成した流入室１２３と、ダイヤフラム外周の押えを兼ねるカバー１２４によって主弁１２２の背面側に画成され、流入室１２３に主弁１２２に形成したオリフィス孔１２３ａを介して連通する背圧室１２５と、背圧室１２５と主弁孔１２２ａとを連通するパイロット弁孔１２６ａを開閉するパイロット弁１２６と、パイロット弁１２６を開閉駆動するソレノイド１２７とから成るパイロット式電磁弁で構成されている。尚、第１電磁弁１２１の流入室１２３と主弁孔１２２ａは夫々流入口１１１と連通路１１３に連なり、第２電磁弁１２２の流入室１２３と主弁孔１２２ａは夫々連通路１１３と流出口１１２に連なる。
【００１８】
ソレノイド１２７は、電磁コイル１２７ａと、電磁コイル１２７ａに内挿されるカバー１２４に一体の筒状ガイド１２７ｂに収納した可動鉄心１２７ｃと、可動鉄心１２７ｃを軸方向先方に付勢するばね１２７ｄとを備えており、可動鉄心１２７ｃの先端にパイロット弁１２６を取付けている。そして、常時はパイロット弁１２６がパイロット弁孔１２６ａを閉塞する閉弁位置にばね１２７ｄにより付勢保持され、電磁コイル１２７ａに通電したとき、可動鉄心１２７ｃが軸方向尾方に磁気吸引され、パイロット弁１２６がパイロット弁孔１２６ａを開く開弁位置に変位するようにしている。
【００１９】
パイロット弁１２６を閉弁させると、流入室１２３からオリフィス孔１２３ａを介して背圧室１２５に流入する水が背圧室１２５に封じ込められ、背圧室１２５の水圧は流入室１２３の水圧に等しくなる。ここで、主弁１２２の前面に作用する押圧力は、流入室１２３の水圧による押圧力と主弁孔１２２ａの水圧による押圧力との合力になるが、主弁孔１２２ａの水圧は流入室１２３の水圧より低いため、主弁１２２の背面に作用する背圧室１２５の水圧による押圧力が主弁１２２の前面に作用する押圧力を上回って主弁１２２が閉弁される。また、パイロット弁１２６を開弁させると、背圧室１２５内の水がパイロット弁孔１２６ａを介して主弁孔１２２ａに流出して背圧室１２５の水圧が低下し、主弁１２２の背面に作用する背圧室１２５の水圧による押圧力が主弁１２２の前面に作用する押圧力を下回って主弁１２２が開弁され、流入室１２３から主弁孔１２２ａに水が流れる。
【００２０】
洗浄槽２への給水を停止する止水時は、食器洗浄機に設けた制御手段たるコントローラ１３により、第１電磁弁１２１と第２電磁弁１２２との一方の電磁弁、例えば、第１電磁弁１２１の電磁コイル１２７ａへの通電を停止して第１電磁弁１２１のパイロット弁１２６を閉弁させてから、第２電磁弁１２２の電磁コイル１２７ａへの通電を停止して第２電磁弁１２２のパイロット弁１２６を閉弁させる制御を行う。このように第１電磁弁１２１のパイロット弁１２６を先行して閉弁させると、第１電磁弁１２１の主弁１２２の閉弁で下流側の第２電磁弁１２２には給水圧が作用しなくなり、第２電磁弁１２２の流入室１２３及び主弁孔１２２ａの圧力が大気圧になり、背圧室１２５の圧力も大気圧になる。従って、第２電磁弁１２２のパイロット弁１２６を閉弁させても、第２電磁弁１２２の主弁１２２の背面に作用する押圧力と主弁１２２の前面に作用する押圧力とに差圧が発生せず、第２電磁弁１２２の主弁１２２を完全に閉止することはできなくなる。
【００２１】
また、第２電磁弁１２２のパイロット弁１２６を先行した閉弁させた場合は、第２電磁弁１２２の主弁１２２の閉弁で第１電磁弁１２１に水が流れなくなって、第１電磁弁１２１の流入室１２３及び主弁孔１２２ａの圧力が給水一次圧になり、背圧室１２５の圧力も給水一次圧になる。従って、第１電磁弁１２１のパイロット弁１２６を閉弁させても、第１電磁弁１２１の主弁１２２の背面に作用する押圧力と主弁１２２の前面に作用する押圧力とに差圧が発生せず、第１電磁弁１２１の主弁１２２を完全に閉止することはできなくなる。そして、先行して閉弁させる一方の電磁弁がその主弁１２２と弁座１２１との間への異物の噛み込みで微少漏れを生じた場合も、他方の電磁弁は、差圧が殆ど発生しないため完全に閉止せず、止水不良を生ずる。
【００２２】
そこで、本実施形態では、すすぎ運転開始前の給水で水位スイッチ７がオンしたときの止水時にコントローラ１３により図３に示す制御を行うようにした。以下、この点について説明する。
【００２３】
水位スイッチ７がオンすると(ＳＴＥＰ１)、第１電磁弁１２１と第２電磁弁１２２との一方の電磁弁、例えば、第１電磁弁１２１のパイロット弁１２６を閉弁させてから第２電磁弁１２２のパイロット弁１２６を閉弁させる１回目の止水制御を行う(ＳＴＥＰ２、３)。その後、所定時間のすすぎ運転を行い(ＳＴＥＰ４)、すすぎ運転完了後に、洗浄・排水ポンプ６を逆転させて洗浄槽２内の水を排水し(ＳＴＥＰ５)、次に、所定時間の乾燥運転を行う(ＳＴＥＰ６)。
【００２４】
ここで、１回目の止水制御に際し先行して閉弁される第１電磁弁１２１での異物の噛み込みにより止水不良を生じると、ＳＴＥＰ５での排水後に洗浄槽２の水位が次第に上昇する。そして、その後に水位スイッチ７がオンしたときは(ＳＴＥＰ７)、洗浄・排水ポンプ６を逆転させて排水を開始すると共に(ＳＴＥＰ８)、第１電磁弁１２１のパイロット弁１２６を開弁させ(ＳＴＥＰ９)、この状態で第２電磁弁１２２のパイロット弁１２６を一旦開弁させてから閉弁させることを所定回数(例えば、３回)繰り返す２回目の止水制御を行い(ＳＴＥＰ１０)、その後、第１電磁弁１２１のパイロット弁１２６を閉弁させると共に(ＳＴＥＰ１１)、排水を停止する(ＳＴＥＰ１２)。尚、２回目の止水制御に際しては、第２電磁弁１２２のパイロット弁１２６を所定時間(例えば、１秒)開弁させてから所定時間(例えば、１秒)閉弁させることを繰り返し、最後にパイロット弁１２６を閉弁状態に保持する。
【００２５】
２回目の止水制御では、第１電磁弁１２１のパイロット弁１２６の開弁でその主弁１２２を開弁させた状態において第２電磁弁１２２のパイロット１２６を閉弁させるため、第２電磁弁１２２の主弁１２２の背面に作用する押圧力が主弁１２２の前面に作用する押圧力を上回り、第２電磁弁１２２での異物の噛み込みを生じない限り、第２電磁弁１２２の主弁１２２が確実に閉止されて、止水不良が解消される。また、２回目の止水制御では、第１電磁弁１２１のパイロット弁１２６の開弁でその主弁１２２を開弁させると共に第２電磁弁１２２のパイロット弁１２６の開弁でその主弁１２２を一旦開弁させるため、第１電磁弁１２１に水が流れ、第１電磁弁１２１の主弁１２２と弁座１２１との間に噛み込んだ異物が洗い流される可能性が高くなる。
【００２６】
ところで、第２電磁弁１２２での異物の噛み込みを生ずると、２回目の止水制御後も止水不良が解消されず、ＳＴＥＰ１２での排水停止後に洗浄槽２の水位が次第に上昇する。そして、その後に水位スイッチ７がオンしたときは(ＳＴＥＰ１３)、洗浄・排水ポンプ６を逆転させて排水を開始すると共に(ＳＴＥＰ１４)、第２電磁弁１２２のパイロット弁１２６を開弁させ(ＳＴＥＰ１５)、この状態で第１電磁弁１２１のパイロット弁１２６を一旦開弁させてから閉弁させることを所定回数(例えば、３回)繰り返す３回目の止水制御を行い(ＳＴＥＰ１６)、その後、第２電磁弁１２２のパイロット弁１２６を閉弁させると共に(ＳＴＥＰ１７)、排水を停止する(ＳＴＥＰ１８)。
【００２７】
ここで、第１電磁弁１２１に噛み込んだ異物が上記の如く２回目の止水制御で洗い流される可能性が高くなるため、３回目の止水制御で第１電磁弁１２１を先行して閉弁することにより、止水不良が解消される可能性も高くなる。尚、３回目の止水制御後も止水不良が解消されず、ＳＴＥＰ１８での排水停止後に水位スイッチ７が再度オンしたときは(ＳＴＥＰ１９)、排水を再開すると共に(ＳＴＥＰ２０)、サービスマンによる点検を促すエラー表示を行う(ＳＴＥＰ２１)。
【００２８】
以上、本発明の実施形態について図面を参照して説明したが、本発明はこれに限定されない。例えば、２回目の止水制御後も止水不良が解消されないときに、３回目の止水制御を行うことなくエラー表示を行うようにしてもよく、また、３回目の止水制御後に２回目の止水制御と同様の制御を行うことも可能である。また、上記実施形態では、２回目の止水制御に際し、第２電磁弁１２２のパイロット弁１２６の開閉を所定回数繰り返すようにしたが、このパイロット弁１２６を一旦開弁させてから閉弁させることを１回だけ行うようにしてもよい。これは、３回目の止水制御も同様である。
【００２９】
また、１回目の止水制御で第２電磁弁１２２のパイロット弁１２６を閉弁させてから第１電磁弁１２１のパイロット弁１２６を閉弁させてもよい。この場合は、２回目の止水制御に際し、第２電磁弁１２２のパイロット弁１２６を開弁させた状態で第１電磁弁１２１のパイロット弁１２６を一旦開弁させてから閉弁させることを少なくとも１回行い、３回目の止水制御に際し、第１電磁弁１２１のパイロット弁１２６を開弁させた状態で第２電磁弁１２２のパイロット弁１２６を一旦開弁させてから閉弁させることを少なくとも１回行う。
【産業上の利用可能性】
【００３０】
本発明は、食器洗浄機の給水路３に設ける上記実施形態の給水弁装置１０だけでなく、洗濯機等の水を使用する機器の給水路に設ける給水弁装置として広く適用できる。
【符号の説明】
【００３１】
３…給水路、１０…給水弁装置、１２１…第１電磁弁、１２２…第２電磁弁、１２１…弁座、１２２…主弁、１２２ａ…主弁孔、１２３…流入室、１２３ａ…オリフィス孔、１２５…背圧室、１２６…パイロット弁、１２６ａ…パイロット弁孔、１２７…ソレノイド。
【図１】
2010187779.tif 000003
【図２】
2010187779.tif 000004
【図３】
2010187779.tif 000005